(57)【要約】【課題】映像コンテンツの画質や評価結果等に応じて、自動的に表示画面サイズを選択して再生するコンテンツ再生装置を提供することを目的とする。【解決手段】本発明に係るコンテンツ再生装置５００によれば、ユーザの選択した映像コンテンツを映像コンテンツの画質や評価に関する属性情報等に基づいて統合評価種別を選択し、その統合評価種別に応じた表示画面サイズで映像コンテンツの再生を行う。これにより、画質や内容的に優れた映像コンテンツは自動的に大画面で表示され、画質の劣る映像コンテンツや内容的に不十分な映像コンテンツは比較的小さな表示画面サイズで表示される。よって、ユーザは常に最適な表示画面サイズで映像コンテンツを視聴することができる。【選択図】図１
2009272850.tif 000002
【特許請求の範囲】
【請求項１】
選択した映像コンテンツをサーバから取得して再生するコンテンツ再生装置において、
複数の前記サーバのアドレスと当該サーバの信頼度を示すサーバ種別とを備えたサーバ評価情報と、前記選択した映像コンテンツをランク分けするための総合評価種別を決定するためのコンテンツ評価条件と、を有する評価条件保存部と、
前記総合評価種別と対応した表示画面サイズを設定するためのウインドウ情報が記録された表示条件保存部と、
前記選択した映像コンテンツに関する属性情報を有するコンテンツ情報を前記サーバから取得して、当該コンテンツ情報に含まれる前記サーバのアドレスと前記サーバ評価情報の備えるサーバのアドレスとを比較し、前記選択した映像コンテンツを取得するサーバのサーバ種別を設定するとともに、当該サーバ種別を前記コンテンツ評価条件に当てあてはめて前記選択した映像コンテンツの総合評価種別を決定するコンテンツ評価部と、
前記コンテンツ評価部により決定した総合評価種別に対応したウインドウ情報を前記表示条件保存部から取得する表示サイズ制御部と、
前記選択した映像コンテンツの符号化画像データを有するコンテンツデータを前記サーバから取得して前記符号化画像データの復号処理を行うとともに、復号処理された前記符号化画像データを前記表示サイズ制御部が取得したウインドウ情報に応じた表示画面サイズとなるように処理した上で表示用の出力画像データとして出力するデコード部と、
を有することを特徴とするコンテンツ再生装置。
【請求項２】
請求項１記載のコンテンツ再生装置において、
前記表示サイズ制御部が取得したウインドウ情報に応じて所定のグラフィックスデータを出力するグラフィックス描画部と、
前記グラフィックスデータと前記出力画像データとを合成し表示用の合成画像データを生成する合成部と、
を設けたことを特徴とするコンテンツ再生装置。
【請求項３】
前記評価条件保存部が、前記選択した映像コンテンツの画質を評価するためのメディア種別を決定するためのメディア条件をさらに有し、
前記コンテンツ評価部が、前記選択した映像コンテンツの符号化情報及び画素数の情報を有するメディア品質情報を前記コンテンツ情報もしくは前記コンテンツデータから取得し、前記メディア品質情報を前記メディア条件に当てはめて前記選択した映像コンテンツのメディア種別を決定し、前記選択した映像コンテンツの前記サーバ種別及びメディア種別を前記コンテンツ評価条件に当てはめて前記総合評価種別を決定することを特徴とする請求項１または２記載のコンテンツ再生装置。
【請求項４】
前記コンテンツ評価部が、さらに、前記コンテンツ情報に含まれる映像コンテンツの評価を示す視聴情報を取得して当該視聴情報から視聴評価値を算出し、前記選択した映像コンテンツの前記サーバ種別と前記メディア種別と前記視聴評価値とを前記コンテンツ評価条件に当てはめて前記総合評価種別を決定することを特徴とする請求項３記載のコンテンツ再生装置。
【発明の詳細な説明】
【技術分野】
【０００１】
本発明は、ネットワーク上のサーバに蓄積された映像コンテンツを再生するコンテンツ再生装置に関し、特に映像コンテンツの画質や内容に応じて表示画面サイズを自動的に変化させるコンテンツ再生装置に関するものである。
【背景技術】
【０００２】
近年、インターネットの映像共有サイトなどには、企業はもとより個人が作成した数多くの映像コンテンツが寄せられており、これら映像コンテンツはブラウザ機能を搭載したパソコンやテレビ、専用端末などのディスプレイで視聴することができる。また、ディスプレイの大画面化に伴い、これら映像コンテンツを大画面で視聴したいという要望が多く寄せられており、このユーザの要望に対しディスプレイの表示画面全体にこれら映像コンテンツを表示する機能を搭載した機器が商品化されている。ところが、これら映像共有サイトなどに蓄積された映像コンテンツのうち、特に個人が作成した映像コンテンツは比較的画質が良く内容的にも共感を持って視聴できるものもあれば、画質が悪くまた内容的にも不十分なものなど、様々なものが混在している。
【０００３】
このため、映像共有サイトなどには蓄積された各映像コンテンツの説明文や閲覧数、さらには他のユーザ等が映像コンテンツを評価した結果などの情報が提供されている場合があり、ユーザはこれらの情報を参考にして好みの映像コンテンツを選択することができる。ここで、下記［特許文献１］には、ユーザが映像コンテンツを視聴中に映像コンテンツに対する評価を行うことができるコンテンツ評価システム等に関する発明が開示されている。
【０００４】
【特許文献１】特開２００３−３０１０５号公報
【発明の開示】
【発明が解決しようとする課題】
【０００５】
しかしながら、［特許文献１］に開示された発明等により映像コンテンツが的確に評価されたとしても、上記のディスプレイの表示画面全体に映像コンテンツを表示する機能は、映像コンテンツの画質や評価結果とは無関係に、ユーザが選択した映像コンテンツをディスプレイの表示画面全体に表示してしまう。このため、画質の劣る映像コンテンツや内容的に不十分な映像コンテンツも大画面のディスプレイの表示画面全体に表示されてしまい、却って見苦しく感じるという問題点がある。この問題点に対して、ユーザが選択した映像コンテンツの一部分を初めに比較的小さな表示画面サイズで表示して画質や内容を確認した後に、改めて表示画面サイズを選択して映像コンテンツ全体を表示させるという手法が考えられる。しかしながら、映像コンテンツは初見が重要な場合が多く、その内容の一部分を知ってしまうと選択した映像コンテンツに対する関心が薄れる可能性があり、更なる改善が望まれる。
【０００６】
本発明は、上記事情に鑑みてなされたものであり、
映像コンテンツの画質や評価結果等に応じて、自動的に表示画面サイズを選択して再生するコンテンツ再生装置を提供することを目的とする。
【課題を解決するための手段】
【０００７】
本発明は、
（１）選択した映像コンテンツをサーバ（コンテンツ提供サーバ２）から取得して再生するコンテンツ再生装置において、
複数の前記サーバのアドレスと当該サーバの信頼度を示すサーバ種別とを備えたサーバ評価情報と、前記選択した映像コンテンツをランク分けするための総合評価種別を決定するためのコンテンツ評価条件と、を有する評価条件保存部１０５と、
前記総合評価種別と対応した表示画面サイズを設定するためのウインドウ情報が記録された表示条件保存部１０７と、
前記選択した映像コンテンツに関する属性情報を有するコンテンツ情報を前記サーバから取得して、当該コンテンツ情報に含まれる前記サーバのアドレスと前記サーバ評価情報の備えるサーバのアドレスとを比較し、前記選択した映像コンテンツを取得するサーバのサーバ種別を設定するとともに、当該サーバ種別を前記コンテンツ評価条件に当てあてはめて前記選択した映像コンテンツの総合評価種別を決定するコンテンツ評価部１０３と、
前記コンテンツ評価部１０３により決定した総合評価種別に対応したウインドウ情報を前記表示条件保存部１０７から取得する表示サイズ制御部１０４と、
前記選択した映像コンテンツの符号化画像データを有するコンテンツデータを前記サーバから取得して前記符号化画像データの復号処理を行うとともに、復号処理された前記符号化画像データを前記表示サイズ制御部１０４が取得したウインドウ情報に応じた表示画面サイズとなるように処理した上で表示用の出力画像データとして出力するデコード部１０９と、
を有することを特徴とするコンテンツ再生装置５００を提供することにより、上記課題を解決する。
（２上記（１）記載のコンテンツ再生装置５００において、
前記表示サイズ制御部１０４が取得したウインドウ情報に応じて所定のグラフィックスデータを出力するグラフィックス描画部１０８と、
前記グラフィックスデータと前記出力画像データとを合成し表示用の合成画像データを生成する合成部１１０と、
を設けたことを特徴とするコンテンツ再生装置５００を提供することにより、上記課題を解決する。
（３）前記評価条件保存部１０５が、前記選択した映像コンテンツの画質を評価するためのメディア種別を決定するためのメディア条件をさらに有し、
前記コンテンツ評価部１０３が、前記選択した映像コンテンツの符号化情報及び画素数の情報を有するメディア品質情報を前記コンテンツ情報もしくは前記コンテンツデータから取得し、前記メディア品質情報を前記メディア条件に当てはめて前記選択した映像コンテンツのメディア種別を決定し、前記選択した映像コンテンツの前記サーバ種別及びメディア種別を前記コンテンツ評価条件に当てはめて前記総合評価種別を決定することを特徴とする上記（１）または（２）記載のコンテンツ再生装置５００を提供することにより、上記課題を解決する。
（４）前記コンテンツ評価部１０３が、さらに、前記コンテンツ情報に含まれる映像コンテンツの評価を示す視聴情報を取得して当該視聴情報から視聴評価値を算出し、前記選択した映像コンテンツの前記サーバ種別と前記メディア種別と前記視聴評価値とを前記コンテンツ評価条件に当てはめて前記総合評価種別を決定することを特徴とする上記（３）記載のコンテンツ再生装置５００を提供することにより、上記課題を解決する。
【発明の効果】
【０００８】
本発明に係るコンテンツ再生装置によれば、
映像コンテンツをランク分けするための総合評価種別に応じて自動的に表示画面サイズを選択して表示させることが可能なため、ユーザは常に最適な表示画面サイズで映像コンテンツを視聴することができる。
【発明を実施するための最良の形態】
【０００９】
以下、本発明に係るコンテンツ再生装置の実施の形態について図面に基づいて説明する。図１は、本発明に係るコンテンツ再生装置の実施の一形態を示すブロック図である。図２は、本発明に係るコンテンツ再生装置の各ブロック間の情報の流れを示すシーケンス図である。図３は、本発明に係るコンテンツ再生装置による表示画面の例を示す図である。図４は、一般的なコンテンツ情報の例を示す図である。図５は、本発明に係る統合評価種別の割り当て処理を示すフローチャートである。図６は、本発明に係るコンテンツ再生装置のコンテンツ情報の保存例を示す図である。図７は、本発明に係るサーバ評価情報の一例を示す図である。図８は、本発明に係るメディア評価情報の一例を示す図である。図９は、本発明に係る視聴情報評価処理を示すフローチャートである。図１０は、本発明に係るコンテンツ評価条件の一例を示す図である。図１１は、本発明に係る表示画面サイズの選択と映像コンテンツの表示に関するフローチャートである。図１２は、本発明に係るウインドウ情報の一例を示す図である。
【００１０】
図１に示す本発明に係るコンテンツ再生装置５００は、ユーザの各要求を電気信号に変換して出力する例えば赤外線リモコンやマウス、キーボード等の入力手段１１５と、入力手段１１５からの出力をサービス処理部１０２に伝達する操作情報受信部１１６と、コンテンツ提供サーバ２への各情報取得要求やコンテンツ提供サーバ２から取得された各データの判読等を行うサービス処理部１０２と、サービス処理部１０２の指示によりネットワーク３上に存在する映像共有サイトなどのコンテンツ提供サーバ２にアクセスし所定のデータを取得する送受信部１０１と、ユーザが選択した映像コンテンツに対する評価を行い総合評価種別を決定するコンテンツ評価部１０３と、選択した映像コンテンツの評価を行うための各データが記録された評価条件保存部１０５と、映像コンテンツの属性情報等が記載されたコンテンツ情報を一時保存するコンテンツ情報保存部１０６と、総合評価種別と対応した表示画面サイズを設定するためのウインドウ情報が記録された表示条件保存部１０７と、コンテンツ評価部１０３で決定した総合評価種別に応じたウインドウ情報を表示条件保存部１０７から取得する表示サイズ制御部１０４と、表示サイズ制御部１０４が取得したウインドウ情報に応じて所定のグラフィックスデータを出力するグラフィックス描画部１０８と、ユーザが選択した映像コンテンツの符号化画像データを復号処理するとともに復号処理した符号化画像データを表示サイズ制御部１０４が取得したウインドウ情報に応じた表示画面サイズとなるように所定の画像処理を施した上で表示用の出力画像データとして出力するデコード部１０９と、グラフィックス描画部１０８からのグラフィックスデータとデコード部１０９からの出力画像データとを合成して表示用の合成画像データとして出力する合成部１１０と、合成部１１０からの合成画像データを映像信号に変換してディスプレイ等の表示手段１１３に出力する映像出力部１１１と、選択した映像コンテンツの音声データを音声信号に変換してスピーカ等の音声出力手段１１４に出力する音声出力部１１２と、を有している。
【００１１】
次に、本発明に係るコンテンツ再生装置５００の動作を、図２に示すコンテンツ再生装置の各ブロック間の情報の流れを示すシーケンス図を用いて説明する。
【００１２】
先ず、ユーザが入力手段１１５を操作して、ネットワーク３上の希望するコンテンツ提供サーバ２へのサーバアクセス要求を行う（Ｍ１００）。尚、ここでのネットワーク３とは、インターネットのような広域のものからＬＡＮ（Ｌｏｃａｌ  Ａｒｅａ  Ｎｅｔｗｏｒｋ）のような狭域のものまでを想定する。また、コンテンツ提供サーバ２は大規模なサーバでも良いし、比較的小規模のサーバでも構わない。
【００１３】
入力手段１１５からのサーバアクセス要求は操作情報受信部１１６を介してサービス処理部１０２へ出力される（Ｍ１０２）。サービス処理部１０２は操作情報受信部１１６からの要求内容を判別し、サーバアクセス要求と判断した場合には、そのサーバアクセス要求を送受信部１０１に出力する（Ｍ１０４）。尚、サービス処理部１０２は、例えばＨＴＭＬ（ＨｙｐｅｒＴｅｘｔ  Ｍａｒｋｕｐ  Ｌａｎｇｕａｇｅ）形式等で記述された情報を判別可能なｗｅｂブラウジング機能を備えており、コンテンツ提供サーバ２への各情報取得要求やコンテンツ提供サーバ２から取得された各データの判読が可能である。
【００１４】
送受信部１０１はサービス処理部１０２からのサーバアクセス要求を受けて、ネットワーク３を介してコンテンツ提供サーバ２のコンテンツ紹介ページにアクセスする。そして、送受信部１０１はコンテンツ紹介ページに存在する例えばＨＴＭＬ形式で記述されたコンテンツ紹介情報を取得してサービス処理部１０２に出力する（Ｍ１０６）。
【００１５】
サービス処理部１０２は送受信部１０１から取得したコンテンツ紹介情報を判読し、コンテンツ紹介情報が指定するリンク先から所定のコンテンツ紹介データを送受信部１０１を介して取得する（Ｍ１０５、Ｍ１０７）。尚、ここで得られるコンテンツ紹介データは、コンテンツ提供サーバ２に蓄積された各映像コンテンツの内容を説明するテキストデータや各映像コンテンツの紹介画像（サムネイル）データ等である。これらのコンテンツ紹介データは、一般的にＨＴＭＬ形式もしくはＸＭＬ（Ｅｘｔｅｎｓｉｂｌｅ  Ｍａｒｋｕｐ  Ｌａｎｇｕａｇｅ）形式で提供されていることが多い。
【００１６】
そして、サービス処理部１０２は、取得したコンテンツ紹介データがＸＭＬ形式の場合には、ＸＭＬ形式のコンテンツ紹介データを画面レイアウトを伴うＨＴＭＬ形式のコンテンツ紹介データに変換する。そして、サービス処理部１０２はＨＴＭＬ形式のコンテンツ紹介データを画像情報に変換してグラフィックス描画部１０８へ出力する（Ｍ１０８）。
【００１７】
グラフィックス描画部１０８は、サービス処理部１０２からの画像情報を描写してグラフィックスデータを生成し合成部１１０に出力する（Ｍ１１０）。合成部１１０はグラフィックス描画部１０８から出力されたグラフィックスデータをそのまま合成画像データとして映像出力部１１１に出力する（Ｍ１１２）。映像出力部１１１は合成部１１０からの合成画像データを映像信号に変換して表示手段１１３に出力する。これにより、表示手段１１３には、図３（ａ）に示すようなコンテンツ紹介画面が表示される。
【００１８】
ユーザは表示手段１１３に表示されたコンテンツ紹介画面を参考にして、コンテンツ紹介画面で紹介されている映像コンテンツの中から希望の映像コンテンツを選択し、希望の映像コンテンツに対するコンテンツ選択要求を行う。ユーザによるコンテンツ選択要求は、入力手段１１５を操作して例えばコンテンツ紹介画面の所定の位置に配置された映像コンテンツの再生開始を意味するリンク表示等にカーソルやマウスポインタ等を位置させ、選択決定操作をすることで行う。そして、入力手段１１５からのコンテンツ選択要求は操作情報受信部１１６を介してサービス処理部１０２へ出力される（Ｍ２００、Ｍ２０２）。サービス処理部１０２は操作情報受信部１１６からのコンテンツ選択要求の内容を判別し、送受信部１０１に対し選択された映像コンテンツのコンテンツ情報取得要求とコンテンツデータ取得要求とを行う（Ｍ２０４、Ｍ２２４）。送受信部１０１はサービス処理部１０２からのコンテンツ情報取得要求とコンテンツデータ取得要求とを受けて、選択された映像コンテンツのコンテンツ情報とコンテンツデータとをコンテンツ提供サーバ２の所定のアドレスから取得し、サービス処理部１０２に出力する（Ｍ２０６、Ｍ２２６）。サービス処理部１０２は送受信部１０１からのコンテンツ情報をコンテンツ評価部１０３に出力し（Ｍ２０８）、また、コンテンツデータを順次デコード部１０９に出力する（Ｍ２２８）。尚、コンテンツ情報は映像コンテンツ毎に単独で提供されている場合もあれば、複数の映像コンテンツ毎にまとめて複合コンテンツ情報として提供されている場合もある。
【００１９】
コンテンツ評価部１０３はサービス処理部１０２から取得したコンテンツ情報に基づいて後述する統合評価種別の割り当て処理を行い、割り当てられた統合評価種別を表示サイズ制御部１０４へ出力する（Ｍ２１０）。
【００２０】
表示サイズ制御部１０４はコンテンツ評価部１０３で割り当てられた統合評価種別と対応したウインドウ情報を表示条件保存部１０７より取得し、グラフィックス描画部１０８とデコード部１０９とに出力する（Ｍ２１２、Ｍ２１４）。グラフィックス描画部１０８は表示サイズ制御部１０４からのウインドウ情報に基づいて所定のグラフィックスデータを生成し合成部１１０に出力する（Ｍ２１６）。
【００２１】
デコード部１０９はサービス処理部１０２から順次取得したコンテンツデータから例えばＭＰＥＧ−１（Ｍｏｖｉｎｇ  Ｐｉｃｔｕｒｅ  Ｅｘｐｅｒｔｓ  Ｇｒｏｕｐ）、ＭＰＥＧ−２、ＭＰＥＧ−４  ＡＶＣなどの方式で圧縮符号化された符号化画像データを分離し、分離した符号化画像データに対し周知の復号処理を行う。そして、デコード部１０９は復号処理により得られた映像データに対し、表示サイズ制御部１０４から出力されたウインドウ情報に応じた表示画面サイズとなるように所定の拡大画像処理もしくは縮小画像処理等を施して出力画像データを生成する。そして、この出力画像データを合成部１１０に順次出力する（Ｍ２３０）。ただし、統合評価種別が後述する確認ダイアログ表示有に該当するものの場合には、デコード部１０９はユーザによる再生指示があるまで上記の復号処理を中断する。これらのデコード部１０９による復号処理等は、全てソフトウエア上で行っても良いし、一部または全部を専用の復号処理装置により行っても良い。
【００２２】
合成部１１０はデコード部１０９から出力された出力画像データとグラフィックス描画部１０８から出力されたグラフィックスデータとを合成して表示用の合成画像データを生成し、映像出力部１１１に出力する（Ｍ２２０）。映像出力部１１１は合成部１１０からの合成画像データを映像信号に変換し表示手段１１３に出力する。これにより、表示手段１１３にはユーザが選択した映像コンテンツの再生画像が、図３（ｂ）、（ｃ）、（ｄ）に示すように、コンテンツ評価部１０３で決定された統合評価種別に応じた表示画面サイズで表示される。
【００２３】
尚、コンテンツデータに例えばＡＡＣ（Ａｄｖａｎｃｅｄ  Ａｕｄｉｏ  Ｃｏｄｉｎｇ）、ＡＣ３（Ａｕｄｉｏ  Ｃｏｄｅ  ｎｕｍｂｅｒ３）などの方式で圧縮符号化された符号化音声データが付随している場合には、デコード部１０９はコンテンツデータから符号化音声データを分離し、分離した符号化音声データに対し周知の復号処理を行う。そして、復号処理により得られた音声データを音声出力部１１２に順次出力する。音声出力部１１２はデコード部１０９で復号処理された音声データを音声信号に変換し、音声出力手段１１４に出力する。これにより音声出力手段１１４は選択した映像コンテンツの音声を出力する。
【００２４】
尚、デコード部１０９は選択された映像コンテンツが最後まで再生されるか、ユーザ等からのコンテンツ停止要求がサービス処理部１０２等を介して入力されるとコンテンツデータの復号処理等を停止する。また、これと前後してグラフィックス描画部１０８は、グラフィックスデータの出力を停止する。これにより、表示手段１１３における映像コンテンツの再生画像の表示は終了する。
【００２５】
ここで、ＸＭＬ形式で表記された一般的なコンテンツ情報の例を図４に示す。尚、ＸＭＬ形式のコンテンツ情報は、コンテンツ情報の各項目がタグによって定義されて表記される。図４（ａ）、（ｂ）に示すコンテンツ情報には、コンテンツ提供サーバ２に関する情報として、“ｓｅｒｖｉｃｅＴｉｔｌｅ”の項目にコンテンツ提供サーバ２の名称が記載され、また、“ｓｅｒｖｉｃｅＬｉｎｋ”の項目にコンテンツ提供サーバ２のリンク情報がＵＲＬ（Ｕｎｉｆｏｒｍ  Ｒｅｓｏｕｒｃｅ  Ｌｏｃａｔｏｒ）形式で記載されている。また、“ａｖｅｒａｇｅＶｉｅｗＣｏｕｎｔ”の項目には、コンテンツ提供サーバ２に蓄積されている全ての映像コンテンツの視聴回数を全ての映像コンテンツの数で割った平均視聴回数がコンテンツ提供サーバ２の管理者側から提供されている。
【００２６】
また、“ＣｏｎｔｅｎｔＱｕａｒｌｔｙ”の項目には、映像コンテンツのメディア品質情報として、映像ビットレート（“ｂｉｔｒａｔｅ”）、水平画素数（“ｈｏｌｉｚｏｎｔａｌＰｉｃｔｕｒｅＳｉｚｅ”）、垂直画素数（“ｖｅｔｒｉｃａｌＰｉｃｔｕｒｅＳｉｚｅ”）、及び映像コンテンツの画像符号化方式（“ｆｏｒｍａｔ”）等、が記載されている。尚、メディア品質情報は、以下に示す個々の映像コンテンツに関する情報の項に記載されている場合もあり、またコンテンツ提供サーバ２に蓄積されている全ての映像コンテンツのメディア品質情報が同一の場合にはコンテンツ提供サーバ２に関する情報の項に記載されている場合もある。
【００２７】
また、“ｉｔｅｍ”の項目には、個々の映像コンテンツに関する情報として、映像コンテンツの本体であるコンテンツデータが保存されているリンクのアドレス（“ｃｏｎｔｅｎｔＵＲＬ”）と、映像コンテンツの“ｔｉｔｌｅ”、“ｄｅｓｃｒｉｐｔｉｏｎ”、ユーザ識別情報（“ｕｓｅｒＩｄ”）、登録日（“ｐｕｂＤａｔｅ”）などのコンテンツ登録情報と、映像コンテンツの評価に関する視聴評価情報（“ｒａｔｉｎｇ”）、この映像コンテンツが視聴された回数である視聴回数（“ｖｉｅｗＣｏｕｎｔ”）などの視聴情報と、が記載されている。そして、複合コンテンツ情報では、上記の個々の映像コンテンツに関する情報が複合コンテンツ情報にまとめられた映像コンテンツの数だけ存在する。
【００２８】
上記の視聴評価情報（“ｒａｔｉｎｇ”）の例としては、以下の２つが一般的である。一つは図４（ａ）に示す評価スタイル（“ｒａｔｉｎｇＳｔｙｌｅ”）がランキングタイプ（“ｒａｎｋｉｎｇ”）のものである。ランキングタイプの視聴評価情報では、最大ランク値（“ｍａｘＶａｌｕｅ”）と最小ランク値（“ｍｉｎＶａｌｕｅ”）とがコンテンツ提供サーバ２の管理者側により設定されており、コンテンツ提供サーバ２の管理者やこの映像コンテンツを視聴したあるユーザが、最大ランク値から最小ランク値までの範囲内の数値（ランク評価値（“ｒａｔｉｎｇＶａｌｕｅ”））を用いて映像コンテンツを評価するものである。尚、図４（ａ）では、最大ランク値＝５、最小ランク値＝０、ランク評価値＝３．２の例を示している。この最大ランク値、最小ランク値は任意の値であり、例えば０〜１０の場合もあれば、−２〜＋２といった負の値を含む場合もある。
【００２９】
もう一つは図４（ｂ）に示す評価スタイル（“ｒａｔｉｎｇＳｔｙｌｅ”）が投票タイプ（“ｖｏｔｉｎｇ”）のものである。投票タイプの視聴評価情報では、この映像コンテンツを視聴した際の評価を投票するための選択肢がコンテンツ提供サーバ２の管理者側により設定されている。そして、この映像コンテンツを視聴した不特定多数のユーザが上記の選択肢のいずれかを選択すると、その選択結果はコンテンツ提供サーバ２の管理者側により累計されその累計結果により映像コンテンツを評価するものである。尚、図４（ｂ）では、映像コンテンツの評価の選択肢を「良い」と「悪い」との２つとし、ユーザが「良い」と投票した累計投票数はプラス投票数として“ｒａｔｉｎｇＧｏｏｄ”に記載され、「悪い」と投票した累計投票数はマイナス投票数として“ｒａｔｉｎｇＢａｄ”に記載される例を示している。尚、前述の視聴回数はユーザが映像コンテンツを視聴すれば投票の有無に関わらずカウントされる。
【００３０】
次に、選択した映像コンテンツに対する統合評価種別の割り当て処理を図５のフローチャートを用いて説明する。尚、ここではコンテンツ情報が複合コンテンツ情報として提供されている例を示す。先ず、コンテンツ評価部１０３がサービス処理部１０２を介して、ユーザが選択した映像コンテンツのコンテンツ情報を含む複合コンテンツ情報を取得する（ステップＳ３００）。次に、コンテンツ評価部１０３は取得した複合コンテンツ情報を映像コンテンツ毎に分離する（ステップＳ３０２）。尚、コンテンツ情報が単独で提供されている場合にはステップＳ３０３に移行する。
【００３１】
次に、コンテンツ評価部１０３は分離したコンテンツ情報を項目毎に分解し、例えば図６に示すようにそれぞれコンテンツ情報保存部１０６に一時保存する（ステップＳ３０３）。尚、上記のコンテンツ情報の分解と一時保存は、複合コンテンツ情報の全てのコンテンツ情報に対して行う。よって、一時保存されるコンテンツ情報は、図６のｃｏｎｔｅｎｔ０１、ｃｏｎｔｅｎｔ０２、・・・に示す様に、複合コンテンツ情報のコンテンツ情報の数だけ形成される。尚、ステップＳ３０３の処理において、コンテンツ登録情報の各項は特に保存しなくとも良い。
【００３２】
次に、コンテンツ評価部１０３はコンテンツ情報保存部１０６に一時保存したコンテンツ情報のうち一つのコンテンツ情報（例えば、図６におけるｃｏｎｔｅｎｔ０１のコンテンツ情報）を取得する（ステップＳ３０４）。このとき取得するコンテンツ情報は、コンテンツ情報保存部１０６に一時保存した１番目のコンテンツ情報としても良いし、ユーザが選択した映像コンテンツのコンテンツ情報を優先的に取得しても良い。
【００３３】
次に、コンテンツ評価部１０３は、取得したコンテンツ情報のｃｏｎｔｅｎｔＵＲＬと評価条件保存部１０５に予め保存されているサーバ評価情報とから、サーバ評価処理を行う（ステップＳ３０６）。
【００３４】
ここで、評価条件保存部１０５に保存されているサーバ評価情報の一例を図７に示す。図７に示すサーバ評価情報０１、０２、０３、・・・には、登録されているコンテンツ提供サーバ２（登録サーバ）のアドレスと、登録サーバの信頼度を示すサーバ種別と、を有している。サーバ種別は例えば、優良な映像コンテンツを提供する信頼度の高いコンテンツ提供サーバ２を「推奨リンク」とし、劣悪な映像コンテンツを提供する信頼度の低いコンテンツ提供サーバ２を「除外リンク」とし、ユーザが利用を許可したコンテンツ提供サーバ２を「許可リンク」として設定する。これらのサーバ評価情報は、予め評価条件保存部１０５にプリインストールしておいても良いし、機器の購入後に外部の特定サーバから取得しても良い。また、ユーザがコンテンツ提供サーバ２を利用する毎に作成しても、上記の手法を組み合わせても良い。また、サーバ種別には、図７に示すようにユーザが過去に登録サーバの映像コンテンツを視聴した実績があるか否かを示すユーザアクセス実績の有無の項を追加して更に細分化しても良い。
【００３５】
コンテンツ評価部１０３によるサーバ評価処理は、次のように行う。先ず、コンテンツ評価部１０３は、取得したコンテンツ情報のｃｏｎｔｅｎｔＵＲＬからその映像コンテンツが蓄積されているコンテンツ提供サーバ２のアドレス（図６における“ｈｔｔｐ：／／ｗｗｗ．ａａ．ｊｐ”の部分）を取得する。次に、コンテンツ評価部１０３はサーバ評価情報の登録サーバのアドレスを検索して、処理中の映像コンテンツが蓄積されているコンテンツ提供サーバ２のアドレスがサーバ評価情報に存在するか否かを判定する。そして、コンテンツ提供サーバ２のアドレスがサーバ評価情報に存在する場合、該当するサーバ評価情報のサーバ種別を処理中の映像コンテンツのサーバ種別として設定する。また、コンテンツ提供サーバ２のアドレスがサーバ評価情報に存在しない場合、コンテンツ評価部１０３は処理中の映像コンテンツのサーバ種別を「登録なし」と設定する。ここで例えば、処理中の映像コンテンツが蓄積されているコンテンツ提供サーバ２のアドレスが、図６におけるサーバ評価情報０１のアドレスと一致した場合、コンテンツ評価部１０３は処理中の映像コンテンツのサーバ種別を「推奨リンク」と設定する。尚、サーバ種別にユーザアクセス実績の有無の項が存在する場合には、サーバ種別は例えば「推奨リンク・実績有り」というようにユーザアクセス実績の有無が加味されたものとなる。
【００３６】
次に、コンテンツ評価部１０３は、取得したコンテンツ情報に含まれるメディア品質情報と評価条件保存部１０５に予め保存されているメディア評価情報とから、メディア品質評価処理を行う（ステップＳ３０８）。尚、デコード部１０９では符号化画像データの復号処理を行う際に画像符号化方式や水平画素数、垂直画素数といったメディア品質情報に相当する情報を得ることが可能である。よって、コンテンツ情報にメディア品質情報が存在しない場合等には、コンテンツデータからデコード部１０９を介して上記のメディア品質情報に相当する情報をメディア品質情報として取得してメディア品質評価処理を行っても良い。
【００３７】
ここで、評価条件保存部１０５に保存されているメディア評価情報の一例を図８に示す。図８に示すメディア評価情報０１、０２、０３、・・・には、メディア条件である映像コンテンツの画像符号化方式、映像ビットレート、水平画素数、及び垂直画素数と、それと対応するメディア種別とを有している。メディア種別は、画像符号化方式、水平画素数、垂直画素数、及び映像ビットレートを総合的に判断した結果に基づくものであり、高画質のメディア条件のものには例えばメディア種別「高」が、低画質のメディア条件のものには例えばメディア種別「低」が予め設定されている。尚、メディア評価情報は予め評価条件保存部１０５にプリインストールしておくことが好ましい。また、上記のメディア種別は「高」「低」の２段階に限定されるものではなく、３段階、４段階など、任意の数とすることができる。
【００３８】
コンテンツ評価部１０３によるメディア品質評価処理は、取得したコンテンツ情報のメディア品質情報と各メディア評価情報のメディア条件とを比較して、メディア条件が一致したメディア評価情報のメディア種別を、処理中の映像コンテンツのメディア種別として設定することで行う。尚、一致するメディア条件を有するメディア評価情報が存在しない場合、処理中の映像コンテンツのメディア種別を「なし」に設定する。ただし、画像符号化方式、水平画素数、垂直画素数、及び映像ビットレートはある程度規格化されており、メディア評価情報にはこの規格化された画像符号化方式、水平画素数、垂直画素数、及び映像ビットレートの組み合わせがメディア条件として記録されているため、基本的に映像コンテンツのメディア品質情報はメディア評価情報のいずれかに該当することとなる。
【００３９】
次に、コンテンツ評価部１０３は、コンテンツ情報に含まれる視聴情報に基づいて視聴情報評価処理を行う（ステップＳ３１０）。ここで、視聴情報評価処理の例を図９のフローチャートを用いて説明する。
【００４０】
先ず、コンテンツ評価部１０３は、コンテンツ情報から視聴情報を取得する（ステップＳ４００）。次に、コンテンツ評価部１０３は、視聴情報から視聴回数と平均視聴回数とを取得し、例えば以下の計算式によって第１の視聴評価値を算出する（ステップＳ４０２）。
第１の視聴評価値＝（視聴回数／平均視聴回数）／２
上記の第１の視聴評価値は、処理中の映像コンテンツの視聴回数が平均視聴回数よりも多いか少ないかを示すものであり、第１の視聴評価値が０．５未満であれば映像コンテンツの視聴回数が平均視聴回数よりも少ないことを意味し、また第１の視聴評価値が０．５を超えていれば映像コンテンツの視聴回数が平均視聴回数よりも多いことを意味している。尚、上記の計算式及び後述するプラス視聴評価値及びマイナス視聴評価値の計算式における除数の“２”は、後述の第２の視聴評価値の値と整合性を取るためのものである。
【００４１】
次に、コンテンツ評価部１０３は、視聴情報に視聴評価情報が存在するか否かを判定する（ステップＳ４０４）。尚、ステップＳ４０４では、視聴評価情報の評価スタイルがランキングタイプもしくは投票タイプ以外の場合も視聴評価情報が存在しないものとして判定する。そして、視聴評価情報が存在しないか視聴評価情報の評価スタイルがランキングタイプもしくは投票タイプ以外の場合には、評価スタイルをランキングタイプに設定した上で（ステップＳ４０６）、第２の視聴評価値を「未定」に設定する（ステップＳ４０８）。そして、コンテンツ評価部１０３は、視聴情報評価処理を終了し（ステップＳ４３０）、図５のステップＳ３１２に移行する。
【００４２】
また、視聴評価情報の評価スタイルがランキングタイプもしくは投票タイプのものである場合、コンテンツ評価部１０３は視聴評価情報がランキングタイプのものであるか投票タイプのものであるかを判別する（ステップＳ４１０）。そして、視聴評価情報がランキングタイプのものと判別された場合、コンテンツ評価部１０３は視聴評価情報の最大ランク値、最小ランク値、及びランク評価値を取得する（ステップＳ４１２）。そして、最大ランク値、最小ランク値、及びランク評価値から例えば以下の計算式によって第２の視聴評価値を算出する（ステップＳ４１４）。
第２の視聴評価値＝（ランク評価値−最小ランク値）／（最大ランク値−最小ランク値）
前述のように最大ランク値、最小ランク値はコンテンツ提供サーバ２によって異なるものであるが、上記の計算式によって得られる第２の視聴評価値は、最大ランク値、最小ランク値が如何なる値をとっても、常に０．５を中心とした０〜１までの値をとることとなる。上記のようにして、第２の視聴評価値が算出されたらコンテンツ評価部１０３は視聴情報評価処理を終了し（ステップＳ４３０）、図５のステップＳ３１２に移行する。
【００４３】
また、ステップＳ４１０において視聴評価情報が投票タイプのものと判別された場合、コンテンツ評価部１０３は視聴評価情報のプラス投票数、マイナス投票数を取得する（ステップＳ４１６）。そして、例えば以下の計算式によって第２の視聴評価値としてのプラス視聴評価値及びマイナス視聴評価値を算出する（ステップＳ４１８）。
プラス視聴評価値＝（プラス投票数／平均視聴回数）／２
マイナス視聴評価値＝（マイナス投票数／平均視聴回数）／２
上記のプラス視聴評価値及びマイナス視聴評価値は、処理中の映像コンテンツのプラス投票数及びマイナス投票数が平均視聴回数よりも多いか少ないかを示すものであり、プラス視聴評価値及びマイナス視聴評価値が０．５未満であればプラス投票数及びマイナス投票数が平均視聴回数よりも少ないことを意味し、またプラス視聴評価値及びマイナス視聴評価値が０．５を超えていればプラス投票数及びマイナス投票数が平均視聴回数よりも多いことを意味している。
【００４４】
また、第２の視聴評価値は以下の第２の計算式によって算出しても良い。
第２の視聴評価値＝｛プラス投票数／（プラス投票数＋マイナス投票数）｝
上記の計算式によって得られる第２の視聴評価値は、プラス投票数とマイナス投票数の総数に対するプラス投票数の比率を示しており、第２の視聴評価値が０．５を超えていればプラス投票数の方が多く、また０．５未満であればマイナス投票数の方が多いことを意味している。上記のようにして、第２の視聴評価値が取得されたらコンテンツ評価部１０３は視聴情報評価処理を終了し（ステップＳ４３０）、図５のステップＳ３１２に移行する。
【００４５】
尚、上記の第１の視聴評価値、及び第２の視聴評価値の各計算式は一例であり、視聴情報に基づいて映像コンテンツを評価可能な値が得られれば、特に上記の算出方法及び計算式に限定されるものではない。また、視聴評価値は２つである必要は無く、第１の視聴評価値もしくは第２の視聴評価値のいずれか一方を算出して後述の総合評価種別の割り当てを行っても、３つ以上の視聴評価値を算出して総合評価種別の割り当てを行っても良い。
【００４６】
次に、コンテンツ評価部１０３は、処理中の映像コンテンツの評価情報であるステップＳ３０６で設定されたサーバ種別とステップＳ３０８で設定されたメディア種別とステップＳ３１０で算出された第１の視聴評価値と第２の視聴評価値と、予め評価条件保存部１０５に保存されているコンテンツ評価条件とから、処理中の映像コンテンツに対する総合評価種別の割り当てを行う（ステップＳ３１２）。
【００４７】
ここで、評価条件保存部１０５に保存されているコンテンツ評価条件の例を図１０に示す。図１０（ａ）に示すコンテンツ評価条件Ａ（ｎ）は、視聴評価情報の評価スタイルがランキングタイプもしくは投票タイプで且つ上記の第２の計算式により第２の視聴評価値を算出した場合に対応するものである。そして、コンテンツ評価条件Ａ（０１）、Ａ（０２）、・・・にはそれぞれ、映像コンテンツに設定されたサーバ種別を評価するための第１の評価条件と、メディア種別を評価するための第２の評価条件と、ステップＳ３１０で算出された映像コンテンツの第１の視聴評価値を評価するための第３の評価条件と、映像コンテンツの第２の視聴評価値を評価するための第４の評価条件と、第１〜第４の評価条件による評価結果の合計値が格納されるｅｖａｌ（ｎ）と、を有している。さらに、コンテンツ評価条件Ａ（ｎ）には、第１〜第４の評価条件に応じたランクＡ〜ランクＤまでの総合評価種別が設定されている。
【００４８】
また、図１０（ｂ）に示すコンテンツ評価条件Ｂ（ｎ）は、視聴評価情報の評価スタイルが投票タイプで且つ第２の視聴評価値がプラス視聴評価値とマイナス視聴評価値の２つで構成されている場合に対応するものである。この場合、コンテンツ評価条件Ｂ（ｎ）は、コンテンツ評価条件Ａ（ｎ）の第４の評価条件に相当する条件がプラス視聴評価値を評価するための第４の評価条件とマイナス視聴評価値を評価するための第５の評価条件とで構成されている。
【００４９】
コンテンツ評価条件による総合評価種別の割り当ては、例えば以下のようにして行う。尚、ここでは図１０（ａ）のコンテンツ評価条件Ａ（ｎ）を例に用いて説明する。先ず、評価する映像コンテンツのサーバ種別と各コンテンツ評価条件Ａ（ｎ）の第１の評価条件とを比較し、該当すればｅｖａｌ（ｎ）に所定の点数を加算する。同様にして、映像コンテンツのメディア種別と第２の評価条件、映像コンテンツの第１の視聴評価値と第３の評価条件、映像コンテンツの第２の視聴評価値と第４の評価条件、をそれぞれ比較し、該当すればｅｖａｌ（ｎ）にそれぞれ所定の点数を加算する。これにより、ｅｖａｌ（ｎ）に格納される合計値は、映像コンテンツの評価情報（サーバ種別、メディア種別、第１の視聴評価値、第２の視聴評価値）とコンテンツ評価条件Ａ（ｎ）との条件一致度が高いほど大きな値をとることとなる。そして、ｅｖａｌ（１）〜ｅｖａｌ（ｎ）の各値を参照し、最も大きな値をとるコンテンツ評価条件Ａ（ｎ）の総合評価種別を処理中の映像コンテンツの総合評価種別として割り当てる。例えば、映像コンテンツのサーバ種別が「推奨リンク」でありメディア種別が「低」であり、第１の視聴評価値が０．２８、第２の視聴評価値が０．６８であれば、図１０（ａ）におけるコンテンツ評価条件Ａ（０５）と条件一致度が最も高く、ｅｖａｌ（５）が最も大きな値をとる。従って、コンテンツ評価部１０３は処理中の映像コンテンツに、コンテンツ評価条件Ａ（０５）の総合評価種別であるランクＢを割り当てる。そして、コンテンツ評価部１０３は、割り当てられた総合評価種別をコンテンツ情報保存部１０６に保存する。尚、コンテンツ情報が単独で提供されている場合には総合評価種別の保存は特に行わなくても構わない。
【００５０】
上記の総合評価種別の割り当て処理によれば、たとえ映像コンテンツの評価情報の一部が存在しない場合でも、残りの評価情報により適切に総合評価種別の割り当てを行うことができる。尚、コンテンツ評価条件Ａ（ｎ）、Ｂ（ｎ）の数、及び総合評価種別の数（ランク数）は、任意に設定して構わない。
【００５１】
また、総合評価種別の割り当ては、評価情報の各項目毎に所定の点数を割り当てて、その点数を加算もしくは乗算して総合点数を算出し、その総合点数に応じて総合評価種別の割り当てを行っても良い。ただしこの場合には、前述の評価情報の一部が存在しない場合等を考慮にいれて適切に総合評価種別の割り当てが行えるようにしなければならない。
【００５２】
以上のようにして、複合コンテンツ情報に含まれる一つのコンテンツ情報に対する総合評価種別の割り当てが終了すると、コンテンツ評価部１０３は複合コンテンツ情報内の全てのコンテンツ情報に対して総合評価種別の割り当てが終了したか否かを判定する（ステップＳ３１４）。そして、未処理のコンテンツ情報が存在すれば、ステップＳ３０４に戻り次のコンテンツ情報を取得してステップＳ３０６〜ステップＳ３１２の処理を行い、総合評価種別の割り当てを行う。また、複合コンテンツ情報内の全てのコンテンツ情報に対する総合評価種別の割り当てが終了していれば、コンテンツ評価部１０３は総合評価種別の割り当て処理を終了する（ステップＳ３１６）。尚、コンテンツ情報が単独で提供されている場合には、ステップＳ３１４において全てのコンテンツ情報に対する総合評価種別の割り当てが終了していると判定され、コンテンツ評価部１０３は総合評価種別の割り当て処理を終了する。
【００５３】
尚、複合コンテンツ情報の中からユーザが選択した映像コンテンツのコンテンツ情報のみを抜き出して、上記の総合評価種別の割り当て処理を行っても良いが、ユーザは同一のコンテンツ提供サーバ２に蓄積されている映像コンテンツを順次視聴する場合も多いため、上記の例に示したように複合コンテンツ情報に含まれる全てのコンテンツ情報に対して予め総合評価種別の割り当て処理を行っておくことが好ましい。
【００５４】
そして、コンテンツ評価部１０３はコンテンツ情報保存部１０６からユーザが選択した映像コンテンツの総合評価種別を取得して、表示サイズ制御部１０４へ出力する。また、コンテンツ情報が単独で提供されている場合には、割り当てられた総合評価種別を表示サイズ制御部１０４へ出力する。
【００５５】
次に、総合評価種別に基づく表示画面サイズの選択と映像コンテンツの表示に関する各ブロックの動作を図１１のフローチャートを用いて説明する。先ず、表示サイズ制御部１０４がコンテンツ評価部１０３からユーザが選択した映像コンテンツの総合評価種別を取得する（ステップＳ５００）。次に、表示サイズ制御部１０４は、表示条件保存部１０７に予め記録されているウインドウ情報の中から、コンテンツ評価部１０３から取得した総合評価種別と対応するウインドウ情報を取得する（ステップＳ５０２）。
【００５６】
ここで、表示条件保存部１０７に記録されているウインドウ情報の例を図１２に示す。表示条件保存部１０７に記録されているウインドウ情報Ａ〜Ｄは、対応する総合評価種別と、映像コンテンツを表示手段１１３に表示させる際の表示画面サイズを示す画面サイズ情報と、総合評価種別のランクが低いときに映像コンテンツを表示させるか否かをユーザに選択させるための確認ダイアログ表示の有無と、表示手段１１３のディスプレイサイズと、を有している。尚、画面サイズ情報は、表示手段１１３を交換するなどしてディスプレイサイズが変化しても、そのディスプレイサイズに比例して表示画面サイズが変化しないようディスプレイサイズと関連付けて自動的に調整されることが好ましい。
【００５７】
次に、表示サイズ制御部１０４は、取得したウインドウ情報の確認ダイアログ表示の有無を判別する（ステップＳ５０４）。そして、確認ダイアログ表示が無しの場合には、取得したウインドウ情報をグラフィックス描画部１０８とデコード部１０９とに出力する（ステップＳ５１２）。
【００５８】
デコード部１０９は符号化画像データを復号処理することで得られた映像データに対し、出力されたウインドウ情報の画面サイズ情報に応じた拡大画像処理もしくは縮小画像処理及び所定の移動画像処理を施して出力画像データとし、この出力画像データを合成部１１０に順次出力する。尚、選択された映像コンテンツの本来の表示画面サイズがウインドウ情報の画面サイズ情報と同一の場合には、上記の拡大画像処理もしくは縮小画像処理は特に行う必要は無い。
【００５９】
また、グラフィックス描画部１０８は出力されたウインドウ情報がウインドウ情報Ｂ、Ｃのものの場合には、そのウインドウ情報に応じたグラフィックスデータを合成部１１０に出力する。合成部１１０はデコード部１０９からの出力画像データとグラフィックス描画部１０８からのグラフィックスデータとを合成して合成画像データを生成し、映像出力部１１１を介して表示手段１１３に出力する。これにより、表示手段１１３はウインドウ情報Ａの場合、即ち統合評価種別がランクＡのものの場合、図３（ｂ）に示すように、選択された映像コンテンツを表示手段１１３の全画面に表示する。また、ウインドウ情報Ｂ、Ｃのものの場合、即ち統合評価種別がランクＢ、Ｃのものの場合、表示手段１１３は図３（ｃ）、（ｄ）に示すように、ウインドウ情報の画面サイズ情報に応じた表示画面サイズの再生領域に、選択された映像コンテンツを表示する（ステップＳ５１４）。尚、図３（ｃ）、（ｄ）において再生領域以外の表示内容は、グラフィックス描画部１０８からのウインドウ情報に応じたグラフィックスデータによって描写される。
【００６０】
そして、デコード部１０９等は映像コンテンツが最後まで再生されるか、ユーザ等からのコンテンツ停止要求が入力されると、再生処理を終了する（ステップＳ５１６）。
【００６１】
また、ステップＳ５０４において、確認ダイアログ表示が有りの場合には、表示サイズ制御部１０４はグラフィックス描画部１０８に対し、確認ダイアログの表示指示を行う。グラフィックス描画部１０８は確認ダイアログの表示指示を受けて確認ダイアログのグラフィックスデータを合成部１１０に出力する。これにより、表示手段１１３には、図３（ｅ）に示すように確認ダイアログが表示される（ステップＳ５０６）。
【００６２】
ユーザは表示された確認ダイアログを確認し、入力手段１１５を操作して映像コンテンツを再生するか否かを選択し入力する（ステップＳ５０８）。ユーザの選択内容は操作情報受信部１１６を介してサービス処理部１０２に出力され、サービス処理部１０２は確認ダイアログに対する選択内容を判別し（ステップＳ５１０）、再生指示の場合には表示サイズ制御部１０４等に対しステップＳ５１２以降の処理を継続させる。これにより、表示手段１１３には図３（ｄ）に示す表示画面サイズで映像コンテンツが表示される。また、ユーザが再生停止を選択した場合、サービス処理部１０２は表示サイズ制御部１０４及びデコード部１０９に対しコンテンツ停止要求を出力する。これにより、再生処理は終了する（ステップＳ５１６）。
【００６３】
尚、統合評価種別が低く映像コンテンツが全画面に表示されない場合には、映像コンテンツの評価結果等を映像コンテンツ表示前に一定時間表示して、ユーザに縮小表示される理由を通知するようにしても良い。
【００６４】
上記の映像コンテンツに対する統合評価種別の割り当て処理は、サーバ種別のみもしくはサーバ種別とメディア種別とで行っても良い。統合評価種別の割り当て処理をサーバ種別のみで行えば、コンテンツ評価部１０３に対する負荷が軽減され統合評価種別の割り当て処理の高速化を図ることができる。また、統合評価種別の割り当て処理をサーバ種別とメディア種別とで行えば、コンテンツ評価部１０３に対する負荷を軽減しながら、映像コンテンツの画質が反映された統合評価種別の割り当てを行うことができる。更に、上記の例に示す様に、統合評価種別の割り当て処理をサーバ種別とメディア種別と視聴評価値とで行えば映像コンテンツの視聴評価情報の内容がさらに加味された統合評価種別の割り当てを行うことができる。
【００６５】
以上のように、本発明に係るコンテンツ再生装置５００によれば、ユーザの選択した映像コンテンツを映像コンテンツの画質や評価に関する属性情報等に基づいて統合評価種別を選択し、その統合評価種別に応じた表示画面サイズで映像コンテンツの再生を行う。これにより、画質や内容的に優れた映像コンテンツは自動的に大画面で表示され、画質の劣る映像コンテンツや内容的に不十分な映像コンテンツは比較的小さな表示画面サイズで表示される。よって、ユーザは常に最適な表示画面サイズで映像コンテンツを視聴することができる。
【００６６】
尚、上記の例ではコンテンツ紹介画面と映像コンテンツの再生画像とを同一の表示手段１１３に表示する構成を示したが、２つの表示手段１１３にコンテンツ紹介画面と映像コンテンツの再生画像とを個別に表示させても良い。また、映像コンテンツを複数選択し上記の処理を順次行って、選択された複数の映像コンテンツをそれぞれ映像コンテンツに割り当てられた統合評価種別に応じた表示画面サイズで順番に表示するようにしても良い他、本発明は本発明の要旨を逸脱しない範囲で変更して実施することが可能である。
【図面の簡単な説明】
【００６７】
【図１】本発明に係るコンテンツ再生装置の実施の一形態を示すブロック図である。
【図２】本発明に係るコンテンツ再生装置の各ブロック間の情報の流れを示すシーケンス図である。
【図３】本発明に係るコンテンツ再生装置による表示画面の例を示す図である。
【図４】一般的なコンテンツ情報の例を示す図である。
【図５】本発明に係る統合評価種別の割り当て処理を示すフローチャートである。
【図６】本発明に係るコンテンツ再生装置のコンテンツ情報の保存例を示す図である。
【図７】本発明に係るサーバ評価情報の一例を示す図である。
【図８】本発明に係るメディア評価情報の一例を示す図である。
【図９】本発明に係る視聴情報評価処理を示すフローチャートである。
【図１０】本発明に係るコンテンツ評価条件の一例を示す図である。
【図１１】本発明に係る表示画面サイズの選択と映像コンテンツの表示に関するフローチャートである。
【図１２】本発明に係るウインドウ情報の一例を示す図である。
【符号の説明】
【００６８】
２        コンテンツ提供サーバ
１０３    コンテンツ評価部
１０５    評価条件保存部
１０７    表示条件保存部
１０４    表示サイズ制御部
１０８    グラフィックス描画部
１０９    デコード部
１１０    合成部
１１３    表示手段
５００    コンテンツ再生装置
【図１】
2009272850.tif 000003
【図２】
2009272850.tif 000004
【図３】
2009272850.tif 000005
【図４】
2009272850.tif 000006
【図５】
2009272850.tif 000007
【図６】
2009272850.tif 000008
【図７】
2009272850.tif 000009
【図８】
2009272850.tif 000010
【図９】
2009272850.tif 000011
【図１０】
2009272850.tif 000012
【図１１】
2009272850.tif 000013
【図１２】
2009272850.tif 000014